(57)【要約】【課題】二重床構造の床に電子機器を設置する際に用いる、電子機器の耐震支持構造に関し、高さ調整が可能で、しかも小型かつ軽量で安価な電子機器の耐震支持構造を実現する。【解決手段】電子機器の耐震支持構造を、等脚台形状に開脚し、脚部１３，１４下端が床面１に固定され、脚部１３，１４上端を結ぶ水平頂部１５には貫通穴が穿設された耐震金具１２と、耐震金具の貫通穴に遊嵌され、上端は電子機器１０の台足１０ａにねじ込まれた支持ボルト２０と、耐震金具１２の水平頂部１５を挟持するように支持ボルト２０に螺合された締め付けナット２２とから構成する。【選択図】　　　図１
2004027650.tif 000002
【特許請求の範囲】
【請求項１】
建築構造物の床面に複数の支柱を立設し該支柱で矩形状のパネル板の四隅を支えるように構成した二重床構造の床に電子機器を設置する際に用いる、電子機器の耐震支持構造であって、
等脚台形状に開脚し、脚部下端が床面に固定され、脚部上端を結ぶ水平頂部には貫通穴が穿設された耐震金具と、
該耐震金具の貫通穴に遊嵌され、上端は電子機器の台足にねじ込まれた支持ボルトと、
前記耐震金具の水平頂部を挟持するように前記支持ボルトに螺合された締め付けナットと
からなる電子機器の耐震支持構造。
【発明の詳細な説明】
【０００１】
【発明の属する技術分野】
本発明は、建築構造物の床面に複数の支柱を立設し該支柱で矩形のパネル板の四隅を支えるように構成した二重床構造の床に電子機器を設置する際に用いる、電子機器の耐震支持構造に関する。
【０００２】
【従来の技術】
コンピュータ室などは二重床構造となっており、建築構造物の床面とパネル板との間の空間（床下空間）に、多くの信号ケーブルや電力ケーブルが重なって配線されている。この二重床構造の床に、各種の電子機器は設置され、上記信号ケーブルや電力ケーブルが接続されている。
【０００３】
まず、二重床構造の床について、図５を用いて説明する。図５において、建築建造物のコンクリートなどでなる床面１には、複数の支柱２がマトリクス状に並べて立設され、この支柱２が、縦横に並べられた矩形状（ここでは、正方形）のパネル板３の四隅を支えている。ここで、支柱２の間隔は、パネル板３の一辺の長さと同一である。なお、図５では、二重床構造の内部を容易に理解できるように、一部のパネル板３を取り除いた状態を示している。
【０００４】
支柱２の基部には、脚板２ａが溶接され、この脚板２ａが床面１に接着やボルト止めなどの手段により固定されている。また、支柱２の上端部２ｂは逆円錐台状に形成され、大径上端面でパネル板３の角部下面に当接し、パネル板３を支えている。パネル板３はフリーアクセス床やＯＡフロアなどと呼ばれる床部を構成するもので、床下配線作業を行う際には、必要に応じて取り外される。
【０００５】
地震等の揺れで電子機器が転倒することを防ぐために、電子機器を固定する場合、上側のフリーアクセス床等だけに電子機器を固定したのでは強度的に不十分であり、電子機器を建築構造物に固定する必要がある。図６はこの耐震支持構造の従来例を概念的に示している。
【０００６】
図６に示した耐震支持構造は、Ｌ型鋼等を組み合わせて構成したチャネルベース（架台）５を建築構造物の床面１にアンカーボルト６を利用して固定するとともに、このチャネルベース５上に電子機器１０を載せ、ボルト７を用いてチャネルベース５に固定したものである。この支持構造によれば、電子機器１０はチャネルベース５を介して建築構造物の床面１に固定されることになり、耐震強度が満たされることになる。
【０００７】
【発明が解決しようとする課題】
図６に示すフリーアクセス床面Ｆと建築構造物の床面１との間隔（二重床高さ）ｈは、施工場所によって異なる。一方、図６に示した耐震支持構造のチャネルベース５は、その高さを調整できる構成になっていない。このため、上記耐震支持構造では、施工場所の二重床高さｈを求め、これに合うようにチャネルベース５の高さ決め、チャネルベース５を製作することが必要になり、施工場所毎にチャネルベース５を設計・製作しなければならず、コストアップの一因になっていた。
【０００８】
さらに、上記耐震支持構造では、チャネルベース５が、電子機器１０の占有床面積と同程度の外形寸法を有し、しかも厚みのあるＬ型鋼等を組み合わせて構成したものであるため、大型でかつ重くなり、材料費が上がるだけでなく、運搬や設置が面倒になるという問題もあった。
【０００９】
本発明は、上記問題を解決するためになされたもので、高さ調整が可能で、しかも小型かつ軽量で安価な電子機器の耐震支持構造を実現しようとするものある。
【００１０】
【課題を解決するための手段】
上記課題を解決する本発明は、建築構造物の床面に複数の支柱を立設し該支柱で矩形状のパネル板の四隅を支えるように構成した二重床構造の床に電子機器を設置する際に用いる、電子機器の耐震支持構造であって、等脚台形状に開脚し、脚部下端が床面に固定され、脚部上端を結ぶ水平頂部には貫通穴が穿設された耐震金具と、該耐震金具の貫通穴に遊嵌され、上端は電子機器の台足にねじ込まれた支持ボルトと、前記耐震金具の水平頂部を挟持するように前記支持ボルトに螺合された締め付けナットとからなる電子機器の耐震支持構造である。
【００１１】
本発明では、電子機器の台足のそれぞれにねじ込まれた各支持ボルトを、締め付けナットでもって、それぞれの耐震金具に取り付けている。このため、支持ボルトと耐震金具との上下方向の相対位置を変えたり、支持ボルトを異なる長さのものに交換することにより、電子機器の台足を二重床高さに合致した高さにできる。
【００１２】
また、耐震金具は、各台足毎に設けるものであり、小型かつ軽量になり、しかも、異なる二重床高さでも同じ耐震金具を使用できるので、汎用性があり、安価に製作できる。このため、耐震支持構造としても、小型かつ軽量で安価なものが得られる。
【００１３】
【実施の形態】
（第１の実施の形態例）
図面を用いて本発明の第１の実施の形態例を説明する。本発明では、上記の通り、電子機器の各台足を建築構造物の床面に固定する。そこで、一つの台足を例にとって、その形態例を説明する。図１は本発明の第１の実施の形態例の主要部を示す図、図２は図１における耐震金具周辺の分解斜視図である。
【００１４】
これらの図において、フリーアクセス床面１１は、建築構造物の床面１に複数の支柱を立設し該支柱で矩形状のパネル板の四隅を支えるように構成したものである。電子機器１０はこのフリーアクセス床面１１上に載せられている。電子機器１０の台足１０ａの下面には、上方に向けて、雌ねじが切られている。
【００１５】
耐震金具１２は、高剛性が得られるように等脚台形状に開脚された脚部１３，１４を有している。これら脚部１３，１４の下端は水平方向に離反するように延び、そこに上下方向に向けて貫通穴１３ａ，１４ａが穿設されている。耐震金具１２の床面１への固定は、建築構造物の床面１に設けられたアンカーボルト１６，１７に、耐震金具１２の貫通穴１３ａ，１４ａを挿通し、その上から、平座金１８ａ，１９ａおよびばね座金１８ｂ，１９ｂを介して、ナット１８，１９を締め付けることにより行っている。
【００１６】
また、脚部１３，１４の上端を結ぶ水平頂部１５には貫通穴１５ａが穿設され、この貫通穴１５ａに、直線状の支持ボルト２０が頭部２０ａを下にして遊嵌されている。この支持ボルト２０の上端は、電子機器１０の台足１０ａに設けられた上記雌ねじ部に、ねじ込まれている。
【００１７】
支持ボルト２０には、耐震金具１２を上下から挟むように、締め付けナット２２，２３が螺合している。締め付けナット２３については、耐震金具１２との間に、平座金２３ａおよびばね座金２３ｂが、挿入配置されている。そして、締め付けナット２２，２３で耐震金具１２の水平頂部１５を挟持することにより、支持ボルト２０と耐震金具１２との結合が図られている。
【００１８】
さらに、支持ボルト２０には、締め付けナット２２よりも上端側に、ナット２４が螺合している。このナット２４は、台足１０ａ下面との間で、フリーアクセス床面１１のパネル板を挟み込むものである。
【００１９】
本形態例では、電子機器１０の台足１０ａに上端がねじ込まれた支持ボルト２０を、締め付けナット２２，２３でもって、耐震金具１２に取り付けている。よって、たとえば、締め付けナット２２，２３の締結位置を支持ボルト２０の頭部２０ａ側に変えれば、支持ボルト２０の上端を高くでき、電子機器１０の台足１０ａを高くできる。また、支持ボルト２０を長いものに交換すれば、支持ボルト２０の上端が高くなり、電子機器１０の台足１０ａを高くできる。
【００２０】
このように、支持ボルト２０と耐震金具１２との上下方向の相対位置を変えたり、支持ボルト２０を異なる長さのものに交換することにより、電子機器１０の台足１０ａの高さ（床面１からの高さ）を調整でき、電子機器１０の台足１０ａを二重床高さに合致した高さにできる。
【００２１】
また、本形態例では、耐震金具１２が、各台足１０ａ毎に設けるものであるため、小型かつ軽量になり、しかも、二重床高さが異なっても、同じ寸法の耐震金具１２を使用できるので、耐震金具１２は汎用性があり、安価に製作できる。このため、耐震支持構造としても、小型かつ軽量で安価なものが得られる。
（第２の実施の形態例）
第１の実施の形態例では、締め付けナット２２，２３で耐震金具１２の水平頂部１５を挟持することにより、支持ボルト２０と耐震金具１２との結合を図ったが、支持ボルト２０の長さを適切に選択すれば、図３に示すように、締め付けナット２３を省略できる。
【００２２】
本形態例では、締め付けナット２２と支持ボルト２０の頭部２０ａとで、耐震金具１２の水平頂部１５を挟持することにより、支持ボルト２０と耐震金具１２との結合を図っている。この構造において、台足１０ａへの支持ボルト２０のねじ込み量を変えれば、同じ長さの支持ボルト２０を用いても、電子機器１０の台足１０ａの高さ調整が可能である。
【００２３】
支持ボルト２０の台足１０ａへのねじ込み量を変えない場合は、長さの異なる支持ボルト２０への交換によってのみ、電子機器１０の台足１０ａの高さを調整できる。支持ボルト２０の交換の場合は、支持ボルト２０の種類が有限であるから、電子機器１０の台足１０ａの高さ調整は連続的には行えず、ステップ状に行うことになる。
（その他の実施の形態例）
本発明は上記二つの実施の形態例に限られるものではない。例えば、上記形態例では、支持ボルト２０として、頭部２０ａを有したものを用いたが、図４に示すように、頭部２０ａを有しない総ねじ支持ボルト２０を用いてもよい。この総ねじ支持ボルト２０には、下端近傍に、半径方向の貫通穴２０ｂが穿設されているので、この貫通穴２０ｂに棒を差し込んで総ねじ支持ボルト２０を回すことで、台足１０ａにねじ込むことができる。この形態例の場合、締め付けナット２３を支持ボルト２０の下端側から最後にねじ込むことができ、作業性がよい。
【００２４】
また、平座金２３ａおよびばね座金２３ｂは、締め付けナット２２と耐震金具１２との間に配置してもよい。
【００２５】
【発明の効果】
以上説明したように、本発明によれば、電子機器の台足のそれぞれにねじ込まれた支持ボルトを、締め付けナットでもって、それぞれの耐震金具に取り付けているため、支持ボルトと耐震金具との上下方向の相対位置を変えたり、支持ボルトを長さの異なるものに交換することにより、電子機器の台足の高さを調整し、電子機器の台足を二重床高さに合致した高さにできる。
【００２６】
また、耐震金具は、各台足毎に設けるものであるため、小型かつ軽量になり、しかも、異なる二重床高さでも同じ耐震金具を使用できるので、汎用性があり、安価に製作できる。このため、耐震支持構造としても、小型かつ軽量で安価なものが得られる。
【図面の簡単な説明】
【図１】本発明の第１の実施の形態例の主要部を示す図である。
【図２】図１における耐震金具周辺の分解斜視図である。
【図３】本発明の第２の実施の形態例の主要部を示す図である。
【図４】本発明の他の実施の形態例の主要部を示す図である。
【図５】二重床構造を示す斜視図である。
【図６】従来の耐震支持構造の説明図である。
【符号の説明】
１　　　　　　　床面
２　　　　　　　支柱
３　　　　　　　パネル板
１０　　　　　　電子機器
１０ａ　　　　　台足
１１　　　　　　フリーアクセス床面
１２　　　　　　耐震金具
１３，１４　　　脚部
１５　　　　　　水平頂部
１５ａ　　　　　貫通穴
１６，１７　　　アンカーボルト
１８，１９　　　ナット
２０　　　　　　支持ボルト
２２，２３　　　締め付けナット
【図１】
2004027650.tif 000003
【図２】
2004027650.tif 000004
【図３】
2004027650.tif 000005
【図４】
2004027650.tif 000006
【図５】
2004027650.tif 000007
【図６】
2004027650.tif 000008